(57)【要約】  点火プラグ（１）は、軸線（ＣＬ１）方向に延びる軸孔（４）を有する絶縁碍子（２）と、軸孔（４）内に挿設された電極（８）とを備え、所定の高周波電源により発生された高周波電力が電極（８）に供給されることでプラズマ放電を発生させる。電極（８）は、軸孔（４）の先端側に挿設された中心電極（５）と、軸孔（４）の後端側に挿設された端子電極（６）とを備えている。軸孔（４）内において、端子電極（６）及び中心電極（５）は、ガラス成分を含んでなるガラスシール（７）によって絶縁碍子（２）に固定され、中心電極（５）及び端子電極（６）は直接接触している。これにより、着火性の一層の向上を図ることができる。
2012070288.tif 000002
【特許請求の範囲】
【請求項１】
軸線方向に延びる軸孔を有する絶縁体と、
前記軸孔内に挿設された電極とを備え、
所定の高周波電源により発生された高周波電力が前記電極に供給されることでプラズマ放電を発生させる高周波プラズマ点火プラグであって、
前記電極は、
前記軸孔の先端側に挿設された中心電極と、
前記軸孔の後端側に挿設された端子電極とを備え、
前記軸孔内において、前記端子電極及び前記中心電極は、ガラス成分を含んでなるガラスシールによって前記絶縁体に固定されており、
前記中心電極及び前記端子電極が直接接触していることを特徴とする高周波プラズマ点火プラグ。
【請求項２】
前記軸孔内に位置する前記電極の部位のうち、前記軸線と直交する方向に沿った断面積が最小となる部位の最小断面積Ｓ１を０．２０ｍｍ2以上としたことを特徴とする請求項１に記載の高周波プラズマ点火プラグ。
【請求項３】
前記中心電極は、
先端側に位置する中心電極本体部と、
前記中心電極本体部から前記軸線に沿って後端側に延び、前記中心電極本体部よりも小径の接続部とを備え、
前記端子電極は、先端側に開口する穴部を備え、
前記穴部に対して前記接続部が挿入されているとともに、
前記ガラスシールが、少なくとも前記接続部の外周面、前記軸孔の内周面、前記端子電極の先端面、及び、前記中心電極本体部の後端面の間に設けられることを特徴とする請求項１又は２に記載の高周波プラズマ点火プラグ。
【請求項４】
前記穴部の開口における、前記軸線と直交する方向に沿った前記接続部の断面積をＳ２（ｍｍ2）とし、
前記端子電極のうち表面が前記ガラスシールに接触している部位のうち、外径が最大の部位を通り、かつ、前記軸線と直交する方向に沿った断面において、前記端子電極の外周面の外形線で囲まれた領域の断面積をＳ３（ｍｍ2）としたとき、
Ｓ３−Ｓ２≧１．２
を満たすことを特徴とする請求項３に記載の高周波プラズマ点火プラグ。
【請求項５】
前記接続部のうち外周面が前記ガラスシールに接触している部位は、銅、銀、金、亜鉛、或いは、アルミニウム、又は、これらの金属を主成分とする合金により形成されることを特徴とする請求項３又は４に記載の高周波プラズマ点火プラグ。
【請求項６】
前記接続部のうち外周面が前記ガラスシールに接触している部位は、銅、銀、金、亜鉛、或いは、アルミニウム、又は、これらの金属を主成分とする合金で覆われることを特徴とする請求項３乃至５のいずれか１項に記載の高周波プラズマ点火プラグ。
【請求項７】
前記穴部に対して前記接続部が圧入されていることを特徴とする請求項３乃至６のいずれか１項に記載の高周波プラズマ点火プラグ。
【請求項８】
前記穴部に対して前記接続部が螺合されていることを特徴とする請求項３乃至６のいずれか１項に記載の高周波プラズマ点火プラグ。
【請求項９】
前記端子電極は、
後端側に位置する端子電極本体部と、
前記端子電極本体部から前記軸線に沿って先端側に延び、前記端子電極本体部よりも小径の延出部とを備え、
前記中心電極は、後端側に開口する凹部を備え、
前記凹部に対して前記延出部が挿入されているとともに、
前記ガラスシールが、少なくとも前記延出部の外周面、前記軸孔の内周面、前記端子電極本体部の先端面、及び、前記中心電極の後端面の間に設けられることを特徴とする請求項１又は２に記載の高周波プラズマ点火プラグ。
【請求項１０】
前記延出部のうち外周面が前記ガラスシールに接触している部位は、銅、銀、金、亜鉛、或いは、アルミニウム、又は、これらの金属を主成分とする合金により形成されることを特徴とする請求項９に記載の高周波プラズマ点火プラグ。
【請求項１１】
前記延出部のうち外周面が前記ガラスシールに接触している部位は、銅、銀、金、亜鉛、或いは、アルミニウム、又は、これらの金属を主成分とする合金で覆われることを特徴とする請求項９又は１０に記載の高周波プラズマ点火プラグ。
【請求項１２】
前記凹部に対して前記延出部が圧入されていることを特徴とする請求項９乃至１１のいずれか１項に記載の高周波プラズマ点火プラグ。
【請求項１３】
前記凹部に対して前記延出部が螺合されていることを特徴とする請求項９乃至１１のいずれか１項に記載の高周波プラズマ点火プラグ。
【請求項１４】
前記ガラスシールに金属成分が含まれることを特徴とする請求項１乃至１３のいずれか１項に記載の高周波プラズマ点火プラグ。
【発明の詳細な説明】
【技術分野】
【０００１】
本発明は、高周波電力が供給されることにより、プラズマ放電を発生させる高周波プラズマ点火プラグに関する。
【背景技術】
【０００２】
内燃機関等の燃焼装置に使用される点火プラグは、例えば、軸線方向に延びる軸孔を有する絶縁体と、軸孔の先端側に設けられる中心電極と、軸孔の後端側に設けられ、導電性のガラスシールを介して中心電極と電気的に接続される端子電極と、絶縁体の外側に組付けられる筒状の主体金具と、主体金具の先端部に接合された接地電極とを備えている。そして、中心電極に高電圧を印加することにより、中心電極と接地電極との間に形成された間隙において火花放電を生じさせ、その結果、燃料ガスに対する着火がなされるようになっている。【０００３】
また、着火性の更なる向上を図るべく、高電圧に代えて、高周波電力を前記間隙に投入することで、プラズマ放電を生じさせる点火プラグ（高周波プラズマ点火プラグ）が提案されている（例えば、特許文献１等参照）。
【先行技術文献】
【特許文献】
【０００４】
【特許文献１】特開昭５１−７７７１９号公報
【発明の概要】
【発明が解決しようとする課題】
【０００５】
ところで近年では、排ガス規制への対応や燃費向上の観点から、リーンバーンエンジンや直噴エンジン等の開発が積極的に行われている。このような燃焼装置においては、従来よりも優れた着火性が要求されており、上述した着火性に優れる高周波プラズマ点火プラグにおいても、着火性の更なる向上が求められている。【０００６】
本発明は、上記事情を鑑みてなされたものであり、その目的は、着火性の一層の向上を図ることができる高周波プラズマ点火プラグを提供することにある。
【課題を解決するための手段】
【０００７】
以下、上記目的を解決するのに適した各構成につき、項分けして説明する。なお、必要に応じて対応する構成に特有の作用効果を付記する。【０００８】
構成１．本構成の高周波プラズマ点火プラグは、軸線方向に延びる軸孔を有する絶縁体と、
前記軸孔内に挿設された電極とを備え、
所定の高周波電源により発生された高周波電力が前記電極に供給されることでプラズマ放電を発生させる高周波プラズマ点火プラグであって、
前記電極は、
前記軸孔の先端側に挿設された中心電極と、
前記軸孔の後端側に挿設された端子電極とを備え、
前記軸孔内において、前記端子電極及び前記中心電極は、ガラス成分を含んでなるガラスシールによって前記絶縁体に固定されており、
前記中心電極及び前記端子電極が直接接触していることを特徴とする。【０００９】
上記構成１によれば、ガラスシール等を介することなく、中心電極と端子電極とが直接接触されているため、供給された高周波電力を伝達する際における電力の損失を効果的に抑制することができる。その結果、一層大きな電力をもってプラズマ放電を発生させることができ、着火性の更なる向上を図ることができる。【００１０】
また、上記構成１によれば、中心電極と端子電極とが、ガラスシールにより絶縁体に固定されているため、両電極を絶縁体に対して強固に固定することができる。そのため、振動等に伴う絶縁体からの端子電極の緩み等をより確実に抑制することができる。その結果、中心電極と端子電極とを長期間に亘ってより確実に接触させることができ、上述の着火性の向上効果を長期間に亘って維持することができる。また、耐振動性の向上が図られることで、端子電極と絶縁体との間において優れた気密性を実現することができる。【００１１】
構成２．本構成の高周波プラズマ点火プラグは、上記構成１において、前記軸孔内に位置する前記電極の部位のうち、前記軸線と直交する方向に沿った断面積が最小となる部位の最小断面積Ｓ１を０．２０ｍｍ2以上としたことを特徴とする。【００１２】
上記構成２によれば、電極の最小断面積Ｓ１が０．２０ｍｍ2以上と十分に大きくされているため、電力の伝達経路の抵抗値を十分に小さなものとすることができる。その結果、電力の損失を一層抑制することができ、着火性を一層向上させることができる。【００１３】
構成３．本構成の高周波プラズマ点火プラグは、上記構成１又は２において、前記中心電極は、
先端側に位置する中心電極本体部と、
前記中心電極本体部から前記軸線に沿って後端側に延び、前記中心電極本体部よりも小径の接続部とを備え、
前記端子電極は、先端側に開口する穴部を備え、
前記穴部に対して前記接続部が挿入されているとともに、
前記ガラスシールが、少なくとも前記接続部の外周面、前記軸孔の内周面、前記端子電極の先端面、及び、前記中心電極本体部の後端面の間に設けられることを特徴とする。【００１４】
上記構成３によれば、中心電極と端子電極とを直接接触させつつ、ガラスシールにより両電極を絶縁体に固定する構成（上記構成１）をより容易に実現することができる。また、中心電極の接続部が端子電極の穴部に挿入されているため、両電極を一層確実に接触させることができ、電力の損失抑制を一層図ることができる。【００１５】
構成４．本構成の高周波プラズマ点火プラグは、上記構成３において、前記穴部の開口における、前記軸線と直交する方向に沿った前記接続部の断面積をＳ２（ｍｍ2）とし、
前記端子電極のうち表面が前記ガラスシールに接触している部位のうち、外径が最大の部位を通り、かつ、前記軸線と直交する方向に沿った断面において、前記端子電極の外周面の外形線で囲まれた領域の断面積をＳ３（ｍｍ2）としたとき、
Ｓ３−Ｓ２≧１．２
を満たすことを特徴とする。【００１６】
上記構成４によれば、端子電極のうち軸線方向に沿ってガラスシールに接触（圧接）している部位（端子電極をガラスシールひいては絶縁体に固定するにあたって、特に重要となる部位）を、軸線と直交する面に投影した際の投影面積（Ｓ３−Ｓ２）が十分に大きなものとなるように構成されている。従って、ガラスシールひいては絶縁体に対して端子電極をより確実に固定することができ、耐振動性の更なる向上を図ることができる。その結果、中心電極と端子電極とを長期間に亘って安定的に接触させることができ、着火性の向上効果をさらに長期間に亘って維持することができる。また、端子電極と絶縁体との間の気密性をより一層向上させることができる。【００１７】
構成５．本構成の高周波プラズマ点火プラグは、上記構成３又は４において、前記接続部のうち外周面が前記ガラスシールに接触している部位は、銅（Ｃｕ）、銀（Ａｇ）、金（Ａｕ）、亜鉛（Ｚｎ）、或いは、アルミニウム（Ａｌ）、又は、これらの金属を主成分とする合金により形成されることを特徴とする。【００１８】
上記構成５によれば、接続部のうち外周面がガラスシールに接触している部位（つまり、高周波電力を伝達するにあたって、電力損失の発生が特に懸念される部位）は、ＣｕやＡｇ等の導電性に優れる金属により形成されている。従って、高周波電力を伝達する際における電力損失をより一層抑制することができ、着火性をより一層向上させることができる。【００１９】
構成６．本構成の高周波プラズマ点火プラグは、上記構成３乃至５のいずれかにおいて、前記接続部のうち外周面が前記ガラスシールに接触している部位は、Ｃｕ、Ａｇ、Ａｕ、Ｚｎ、或いは、Ａｌ、又は、これらの金属を主成分とする合金で覆われることを特徴とする。【００２０】
高周波は、主として導電性物質の表面を伝わって流れる性質（表皮効果）を有するところ、上記構成６によれば、接続部のうち外周面がガラスシールに接触している部位は、ＣｕやＡｇ等の導電性に優れる金属で覆われている。従って、接続部の表面を伝わった高周波電力の導電経路において、当該経路の抵抗値をより低減させることができ、電力の損失を一層抑制することができる。その結果、着火性の更なる向上を図ることができる。【００２１】
構成７．本構成の高周波プラズマ点火プラグは、上記構成３乃至６のいずれかにおいて、前記穴部に対して前記接続部が圧入されていることを特徴とする。【００２２】
上記構成７によれば、端子電極に対する中心電極（接続部）の接触面積をより確実に増大させることができ、両電極間における接触抵抗を低減させることができる。その結果、電力の損失を一層抑制することができ、より優れた着火性を実現することができる。【００２３】
構成８．本構成の高周波プラズマ点火プラグは、上記構成３乃至６のいずれかにおいて、前記穴部に対して前記接続部が螺合されていることを特徴とする。【００２４】
上記構成８によれば、上記構成７と同様に、端子電極に対する中心電極（接続部）の接触面積をより確実に増大させることができ、両電極間における接触抵抗を低減させることができる。その結果、着火性をより一層向上させることができる。【００２５】
構成９．本構成の高周波プラズマ点火プラグは、上記構成１又は２において、前記端子電極は、
後端側に位置する端子電極本体部と、
前記端子電極本体部から前記軸線に沿って先端側に延び、前記端子電極本体部よりも小径の延出部とを備え、
前記中心電極は、後端側に開口する凹部を備え、
前記凹部に対して前記延出部が挿入されているとともに、
前記ガラスシールが、少なくとも前記延出部の外周面、前記軸孔の内周面、前記端子電極本体部の先端面、及び、前記中心電極の後端面の間に設けられることを特徴とする。【００２６】
上記構成９によれば、基本的には上記構成３と同様の作用効果が奏されることとなる。【００２７】
加えて、上記構成９によれば、端子電極の延出部の外周にガラスシールが配設されているため、絶縁体に対して端子電極を一層強固に固定することができる。その結果、耐振動性ひいては気密性の更なる向上を図ることができる。【００２８】
構成１０．本構成の高周波プラズマ点火プラグは、上記構成９において、前記延出部のうち外周面が前記ガラスシールに接触している部位は、Ｃｕ、Ａｇ、Ａｕ、Ｚｎ、或いは、Ａｌ、又は、これらの金属を主成分とする合金により形成されることを特徴とする。【００２９】
上記構成１０によれば、基本的には上記構成５と同様の作用効果が奏される。【００３０】
構成１１．本構成の高周波プラズマ点火プラグは、上記構成９又は１０において、前記延出部のうち外周面が前記ガラスシールに接触している部位は、Ｃｕ、Ａｇ、Ａｕ、Ｚｎ、或いは、Ａｌ、又は、これらの金属を主成分とする合金で覆われることを特徴とする。【００３１】
上記構成１１によれば、基本的には上記構成６と同様の作用効果が奏される。【００３２】
構成１２．本構成の高周波プラズマ点火プラグは、上記構成９乃至１１のいずれかにおいて、前記凹部に対して前記延出部が圧入されていることを特徴とする。【００３３】
上記構成１２によれば、基本的には上記構成７と同様の作用効果が奏される。【００３４】
構成１３．本構成の高周波プラズマ点火プラグは、上記構成９乃至１１のいずれかにおいて、前記凹部に対して前記延出部が螺合されていることを特徴とする。【００３５】
上記構成１３によれば、基本的には上記構成８と同様の作用効果が奏される。【００３６】
構成１４．本構成の高周波プラズマ点火プラグは、上記構成１乃至１３のいずれかにおいて、前記ガラスシールに金属成分が含まれることを特徴とする。【００３７】
上記構成１４によれば、ガラスシールに金属成分が含まれているため、ガラスシールの抵抗値を効果的に低減させることができる。従って、高周波電力を伝達する際における電力損失をさらに抑制することができ、着火性の更なる向上を図ることができる。
【図面の簡単な説明】
【００３８】
【図１】点火プラグの構成を示す一部破断正面図である。
【図２】中心電極や端子電極の構成を示す部分拡大断面図である。
【図３】（ａ），（ｂ）は、穴部に対する接続部の挿入状態の別例を示す部分拡大断面図である。
【図４】（ａ），（ｂ）は、中心電極本体部と接続部とを別体で設けた場合における中心電極の構成を示す部分拡大断面図である。
【図５】第２実施形態における、中心電極や端子電極の構成を示す部分拡大断面図である。
【図６】（ａ），（ｂ）は、凹部に対する延出部の挿入状態の別例を示す部分拡大断面図である。
【図７】比較例に相当するサンプルの概略構成を示す部分拡大断面図である。
【発明を実施するための形態】
【００３９】
以下に、実施形態について図面を参照しつつ説明する。
〔第１実施形態〕
図１は、所定の高周波電源（図示せず）から高周波電力が供給されることで高周波プラズマを発生させる高周波プラズマス点火プラグ（以下、「点火プラグ」と称す）１を示す一部破断正面図である。尚、図１では、点火プラグ１の軸線ＣＬ１方向を図面における上下方向とし、下側を点火プラグ１の先端側、上側を後端側として説明する。
【００４０】
点火プラグ１は、絶縁体としての絶縁碍子２、これを保持する筒状の主体金具３などから構成されるものである。
【００４１】
絶縁碍子２は、周知のようにアルミナ等を焼成して形成されており、その外形部において、後端側に形成された後端側胴部１０と、当該後端側胴部１０よりも先端側において径方向外向きに突出形成された大径部１１と、当該大径部１１よりも先端側においてこれよりも細径に形成された中胴部１２と、当該中胴部１２よりも先端側においてこれよりも細径に形成された脚長部１３とを備えている。加えて、絶縁碍子２のうち、大径部１１、中胴部１２、及び、大部分の脚長部１３は、主体金具３の内部に収容されている。また、中胴部１２と脚長部１３との連接部にはテーパ状の段部１４が形成されており、当該段部１４にて絶縁碍子２が主体金具３に係止されている。
【００４２】
さらに、絶縁碍子２には、軸線ＣＬ１に沿って軸孔４が貫通形成されており、当該軸孔４には電極８が挿入、固定されている。電極８は、軸孔４の先端側に挿設された中心電極５と、軸孔４の後端側に挿設された端子電極６とを備えている。
【００４３】
中心電極５は、全体として棒状をなしており、ニッケル（Ｎｉ）を主成分とするＮｉ合金により構成されている。また、中心電極５は、その先端が絶縁碍子２の先端から軸線ＣＬ１方向先端側へと突出した状態で軸孔４に挿通されている。加えて、端子電極６は、低炭素鋼等の金属により形成されており、自身の後端部が絶縁碍子２の後端から突出した状態で、軸孔４に挿入されている（尚、電極８の構成については、後に詳述する）。
【００４４】
加えて、中心電極５及び端子電極６は、軸孔４内において、金属粉末（例えば、銅や真鍮、鉄等の粉末）やガラス粉末等の混合物が焼結されてなるガラスシール７によって絶縁碍子２に固定されている。尚、ガラスシール７は、端子電極６により後端側から押圧された状態で焼成される。そのため、端子電極６の先端部は、ガラスシール７に対して圧接された状態となっている。
【００４５】
前記主体金具３は、低炭素鋼等の金属により筒状に形成されており、その外周面には点火プラグ１を燃焼装置（例えば、内燃機関や燃料電池改質器等）の取付孔に取付けるためのねじ部（雄ねじ部）１５が形成されている。また、ねじ部１５の後端側の外周面には座部１６が形成され、ねじ部１５後端のねじ首１７にはリング状のガスケット１８が嵌め込まれている。さらに、主体金具３の後端側には、主体金具３を前記燃焼装置に取付ける際にレンチ等の工具を係合させるための断面六角形状の工具係合部１９が設けられるとともに、後端部において絶縁碍子２を保持するための加締め部２０が設けられている。
【００４６】
また、主体金具３の内周面には、絶縁碍子２を係止するためのテーパ状の段部２１が設けられている。そして、絶縁碍子２は、主体金具３の後端側から先端側に向かって挿入され、自身の段部１４が主体金具３の段部２１に係止された状態で、主体金具３の後端側の開口部を径方向内側に加締めること、つまり上記加締め部２０を形成することによって主体金具３に固定されている。尚、絶縁碍子２及び主体金具３双方の段部１４，２１間には、円環状の板パッキン２２が介在されている。これにより、燃焼室内の気密性を保持し、燃焼室内に晒される絶縁碍子２の脚長部１３と主体金具３の内周面との隙間に入り込む燃料ガスが外部に漏れないようになっている。
【００４７】
さらに、加締めによる密閉をより完全なものとするため、主体金具３の後端側においては、主体金具３と絶縁碍子２との間に環状のリング部材２３，２４が介在され、リング部材２３，２４間にはタルク（滑石）２５の粉末が充填されている。すなわち、主体金具３は、板パッキン２２、リング部材２３，２４及びタルク２５を介して絶縁碍子２を保持している。
【００４８】
また、主体金具３の先端部２６には、Ｎｉを主成分とする合金により形成され、略中間部分にて曲げ返された接地電極２７が接合されている。接地電極２７は、その先端側側面が電極８（中心電極５）の先端部と対向しており、電極８の先端部と接地電極２７との間には、間隙２８が形成されている。当該間隙２８に対して高周波電力を供給することで、プラズマ放電を発生させることができるようになっている。
【００４９】
次いで、電極８（中心電極５及び端子電極６）等の構成について詳述する。
【００５０】
図２に示すように、中心電極５は、軸線ＣＬ１方向先端側に位置する中心電極本体部５Ａと、軸線ＣＬ１方向後端側に位置し、中心電極本体部５Ａと一体に形成された接続部５Ｂとを備えている。
【００５１】
中心電極本体部５Ａは、自身の先端部が接地電極２７との間で前記間隙２８を形成するようにして絶縁碍子２の先端から突出しており、また、自身の後端側に設けられた径方向外側に膨出する鍔状部分により軸孔４の内周面に係止されている。
【００５２】
接続部５Ｂは、棒状をなし、中心電極本体部５Ａの後端部の中央位置から軸線ＣＬ１に沿って後端側に延びている。また、接続部５Ｂは、中心電極本体部５Ａ（特に、中心電極本体部５Ａのうち最も大径となる部分）よりも小径とされており、その周囲に前記ガラスシール７が配設されている。
【００５３】
端子電極６は、自身の先端部に軸線ＣＬ１方向先端側に向けて開口する穴部６Ａを備えている。そして、当該穴部６Ａに対して、径方向に若干の隙間を設けた状態で前記接続部５Ｂが挿入されており、中心電極５（接続部５Ｂ）の少なくとも後端部と端子電極６とが直接接触するように構成されている。また、前記ガラスシール７は、接続部７Ｂの外周面、軸孔４の内周面、端子電極６の先端面、及び、中心電極本体部５Ａの後端面の間に設けられている。
【００５４】
尚、図３（ａ）に示すように、前記穴部６Ａに対して接続部５Ｂを圧入することで、接続部５Ｂのうち穴部６Ａ内に配置された部位の外周面全域を端子電極６に接触させるように構成してもよい。また、図３（ｂ）に示すように、穴部６Ａに雌ねじを形成するとともに、接続部５Ｂの後端側外周に雄ねじを形成し、穴部６Ａに対して接続部５Ｂを螺合することで、接続部５Ｂのうち穴部６Ａ内に配置された部位の外周面を端子電極６に対してより確実に接触させることとしてもよい。
【００５５】
また、軸孔４内に位置する電極８（中心電極５及び端子電極６）の部位のうち、軸線ＣＬ１と直交する方向に沿って断面積が最小となる部位（本実施形態では、接続部５Ｂ）の最小断面積Ｓ１が０．２０ｍｍ2以上とされている。
【００５６】
加えて、穴部６Ａの開口における、軸線ＣＬ１と直交する方向に沿った接続部５Ｂの断面積をＳ２（ｍｍ2）とし、端子電極６のうち表面がガラスシール７に接触している部位のうち、外径が最大の部位を通り、かつ、軸線ＣＬ１と直交する方向に沿った断面において、端子電極６の外周面の外形線で囲まれた領域の断面積（本実施形態では、「端子電極６のうち表面がガラスシール７に接触している部位の軸線ＣＬ１と直交する方向に沿った最大断面積」となる）をＳ３（ｍｍ2）としたとき、Ｓ３−Ｓ２≧１．２を満たすように構成されている。すなわち、端子電極６をガラスシール７ひいては絶縁碍子２に対して強固に固定するためには、端子電極６のうち軸線ＣＬ１方向に沿ってガラスシール７に圧接される部位を十分に大きく確保する必要があるが、本実施形態では、軸線ＣＬ１に沿って前記部位を軸線ＣＬ１と直交する面に投影した際に、前記部位の投影面積（すなわち、Ｓ３−Ｓ２）が十分に大きなものとなるように構成されている。
【００５７】
さらに、本実施形態において、接続部５Ｂのうち外周面がガラスシール７に接触している部位は、銅（Ｃｕ）、銀（Ａｇ）、金（Ａｕ）、亜鉛（Ｚｎ）、或いは、アルミニウム（Ａｌ）、又は、これらの金属を主成分とする合金で覆われている。
【００５８】
尚、接続部５Ｂのうち外周面がガラスシール７に接触している部位を、Ｃｕ、Ａｇ、Ａｕ、Ｚｎ、或いは、Ａｌ、又は、これらの金属を主成分とする合金により形成することとしてもよい。この場合には、図４（ａ）に示すように、中心電極本体部３５ＡとＣｕ等の金属からなる接続部３５Ｂとを別体で設け、溶接により中心電極本体部３５Ａに接続部３５Ｂを接合することで中心電極３５を形成することとしてもよい。また、図４（ｂ）に示すように、中心電極本体部４５Ａの後端部に設けられた挿入穴４５Ｃに接続部４５Ｂを圧入することにより、接続部４５Ｂが中心電極本体部４５Ａに接合されてなる中心電極４５を形成することとしてもよい。尚、挿入穴４５Ｃに雌ねじを形成するとともに、接続部４５Ｂの先端側に雄ねじを形成し、挿入穴４５Ｃに接続部４５Ｂの雄ねじを螺合することで、接続部４５Ｂを中心電極本体部４５Ａに接合することとしてもよい。
【００５９】
以上詳述したように、本実施形態によれば、ガラスシール７を介することなく、中心電極５と端子電極６とが直接接触されているため、供給された高周波電力を伝達する際における電力の損失を効果的に抑制することができる。その結果、一層大きな電力をもってプラズマ放電を発生させることができ、着火性の更なる向上を図ることができる。
【００６０】
また、中心電極５と端子電極６とが、ガラスシール７により絶縁碍子２に固定されているため、両電極５，６を絶縁碍子２に対して強固に固定することができる。そのため、燃焼装置の動作等に伴う振動が加わった場合であっても、端子電極６の緩み等をより確実に抑制することができる。その結果、中心電極５と端子電極６とを長期間に亘ってより確実に接触させることができ、着火性の向上効果を長期間に亘って維持することができる。また、耐振動性の向上が図られることで、端子電極６と絶縁碍子２との間において優れた気密性を実現することができる。
【００６１】
さらに、電極８（中心電極５及び端子電極６）の最小断面積Ｓ１が０．２０ｍｍ2以上と十分に大きくされているため、高周波電力を伝達する際における電力の損失を一層抑制することができる。その結果、着火性を一層向上させることができる。
【００６２】
加えて、中心電極５の接続部５Ｂが端子電極６の穴部６Ａに挿入されているため、両電極５，６を一層確実に接触させることができ、電力の損失抑制を一層図ることができる。また、穴部６Ａに接続部５Ｂを圧入させたり、螺合したりすることで、端子電極６に対する中心電極５（接続部５Ｂ）の接触面積をより確実に増大させることができ、両電極５，６間における接触抵抗を低減させることができる。その結果、電力の損失を一層抑制することができ、より優れた着火性を実現することができる。
【００６３】
併せて、接続部５Ｂのうち外周面がガラスシール７に接触している部位は、ＣｕやＡｇ等の導電性に優れる金属で覆われている。従って、接続部５Ｂの表面を伝わった高周波電力の導電経路において、当該経路の抵抗値をより低減させることができ、電力の損失を一層抑制することができる。その結果、着火性の更なる向上を図ることができる。
【００６４】
また、端子電極６のうち軸線ＣＬ１方向に沿ってガラスシール７に接触（圧接）している部位を、軸線ＣＬ１と直交する面に投影した際の投影面積（Ｓ３−Ｓ２）が十分に大きなものとなるように構成されている。従って、ガラスシール７ひいては絶縁碍子２に対して端子電極６をより確実に固定することができ、耐振動性の更なる向上を図ることができる。その結果、中心電極５と端子電極６とを長期間に亘って安定的に接触させることができ、着火性の向上効果をさらに長期間に亘って維持することができる。また、端子電極６と絶縁碍子２との間の気密性をより一層向上させることができる。
【００６５】
さらに、ガラスシール７には、金属成分が含まれているため、ガラスシール７の抵抗値を低減させることができる。従って、高周波電力を伝達する際における電力損失をさらに抑制することができ、着火性の更なる向上を図ることができる。
〔第２実施形態〕
次に、第２実施形態について、上記第１実施形態との相違点を中心に説明する。本第２実施形態では、中心電極と端子電極との接続態様が特に相違する。すなわち、図５に示すように、端子電極５６は、軸線ＣＬ１方向後端側に位置する端子電極本体部５６Ａと、端子電極本体部５６Ａの先端部から軸線ＣＬ１に沿って先端側に延びる延出部５６Ｂとを備えている。また、中心電極５５の後端部には、軸線ＣＬ１方向後端側に向けて開口する凹部５５Ａが設けられており、当該凹部５５Ａに対して延出部５６Ｂが挿入されている。そして、延出部５６Ｂは、端子電極本体部５６Ａよりも小径に形成されており、ガラスシール５７は、延出部５６Ｂの外周面、軸孔４の内周面、端子電極本体部５６Ａの先端面、及び、中心電極５５の後端面の間に設けられている。
【００６６】
尚、図６（ａ）に示すように、前記凹部５５Ａに対して延出部５６Ｂを圧入することで、延出部５６Ｂのうち凹部５５Ａ内に配置された部位の外周面全域を中心電極５５に対して接触させることとしてもよい。また、図６（ｂ）に示すように、凹部５５Ａに雌ねじを形成するとともに、延出部５６Ｂの先端側外周に雄ねじを形成し、凹部５５Ａに対して延出部５６Ｂを螺合することで、延出部５６Ｂのうち凹部５５Ａ内に配置された部位の外周面を中心電極５５に対してより確実に接触させることとしてもよい。
【００６７】
また、延出部５６Ｂのうち外周面がガラスシール５７に接触する部位は、Ｃｕ、Ａｇ、Ａｕ、Ｚｎ、或いは、Ａｌ、又は、これらの金属を主成分とする合金で覆われている。尚、延出部５６Ｂのうち外周面がガラスシール５７に接触している部位を、Ｃｕ、Ａｇ、Ａｕ、Ｚｎ、或いは、Ａｌ、又は、これらの金属を主成分とする合金により形成することとしてもよい。
【００６８】
以上、本第２実施形態によれば、基本的には上記第１実施形態と同様の作用効果が奏されることとなる。
【００６９】
加えて、端子電極５６の延出部５６Ｂの外周にガラスシール５７が配設されるため、絶縁碍子２に対して端子電極５６をより強固に固定することができる。その結果、気密性や耐振動性を一層向上させることができる。
【００７０】
次に、上記実施形態によって奏される作用効果を確認すべく、図７に示すように、中心電極と端子電極との間にガラスシールを設け、ガラスシールを介して両者を電気的に接続したスパークプラグのサンプルＡ（比較例に相当する）と、中心電極と端子電極とを直接接触させるとともに、軸孔内に位置する中心電極及び端子電極のうち、軸線と直交する方向に沿って断面積が最小となる部位の最小断面積Ｓ１を種々変更したスパークプラグのサンプルＢ，Ｃ，Ｄ，Ｅ（それぞれ実施例に相当する）とを作製し、各サンプルについて着火性評価試験を行った。着火性評価試験の概要は次の通りである。すなわち、排気量２０００ｃｃの４気筒ＤＯＨＣエンジンにサンプルを組付けた上で、空燃比（Ａ／Ｆ）を２０として、サンプルに対して発振周波数１３ＭＨｚ、出力３００Ｗの高周波電力を１０００回供給し、１０００回中に発生した失火の回数（失火回数）を計測した。ここで、失火回数が０回となったサンプルは、着火性に極めて優れるとして「◎」の評価を下し、失火回数が１〜４回となったサンプルは、着火性に優れるとして「○」の評価を下すこととした。一方で、失火回数が５回以上となったサンプルは、着火性に劣るとして「×」の評価を下すこととした。表１に、当該試験の試験結果を示す。尚、実施例に相当するサンプルにおいて、断面積Ｓ１は、中心電極の接続部の外径を調節することで変更した（表１には、接続部の外径を併せて示す）。
【００７１】
【表１】
2012070288.tif 000003
【００７２】
表１に示すように、中心電極と端子電極とをガラスシールを介して電気的に接続したサンプルＡは、失火が発生しやすく、着火性に劣ることが明らかとなった。これは、ガラスシールに存在によって電力の損失が生じてしまい、ひいては中心電極と接地電極との間の間隙に投入される電力が不十分となってしまったことによると考えられる。
【００７３】
これに対して、中心電極と端子電極とを直接接触させたサンプルＢ〜Ｅは、優れた着火性を有することが分かった。これは、両電極を直接接触させたことで、電力の損失を極力抑制することができ、ひいては間隙に対して十分に大きな電力が投入されたためであると考えられる。
【００７４】
また特に、最小断面積Ｓ１を０．２０ｍｍ2以上としたサンプルＢ〜Ｄは、一層優れた着火性を実現できることが確認された。これは、断面積を十分に確保したことで、電力の導電経路（端子電極の後端から中心電極の先端まで）の抵抗値が十分に小さくなり、電力の損失がより少なくなったことに起因すると考えられる。
【００７５】
以上の試験結果より、高周波電力を投入することで、プラズマ放電を発生させる高周波プラズマ点火プラグにおいては、着火性の向上を図るべく、中心電極及び端子電極を直接接触させることが好ましいといえる。また、着火性を一層向上させるためには、軸孔内に位置する電極の最小断面積Ｓ１を０．２０ｍｍ2以上とすることがより好ましいといえる。
【００７６】
次いで、端子電極の穴部に対して径方向に若干の隙間をあけた状態で、中心電極の接続部を挿入することにより、中心電極と端子電極とを接触させたスパークプラグのサンプルＦと、穴部に対して接続部を圧入することにより、両電極を接触させたスパークプラグのサンプルＧと、穴部に対して接続部を螺合することにより、両電極を接触させたスパークプラグのサンプルＨとを作製し、各サンプルについて、空燃比（Ａ／Ｆ）を２１とした上で（つまり、より失火が生じやすい条件とした上で）、上述の着火性評価試験を行った。表２に、当該試験の試験結果を示す。尚、各サンプルともに、接続部の外径を１．０ｍｍ（最小断面積Ｓ１を約０．７９ｍｍ2）とした。
【００７７】
【表２】
2012070288.tif 000004
【００７８】
表２に示すように、穴部に対して接続部を圧入したサンプルＧや、穴部に対して接続部を螺合したサンプルＨは、燃料が薄く、失火がより発生しやすい条件においても、非常に優れた着火性を実現できることが分かった。これは、端子電極に対する接続部の接触面積が増大したことで、両電極間における接触抵抗が低減し、ひいては電力の損失がより一層抑制されたためであると考えられる。
【００７９】
上記試験の結果より、着火性の一層の向上を図るべく、中心電極と端子電極とを接合するにあたっては、圧入や螺合により両電極を接合することが好ましいといえる。
【００８０】
次に、前記断面積Ｓ３（ｍｍ2）を一定とした上で、穴部の開口における、軸線と直交する方向に沿った接続部の断面積Ｓ２（ｍｍ2）を変更することで、「Ｓ３−Ｓ２」を種々変更したスパークプラグのサンプルＩ，Ｊ，Ｋ，Ｌを作製し、各サンプルについて耐振動性評価試験を行った。耐振動性評価試験の概要は次の通りである。すなわち、各サンプルを所定の試験装置に取付けた上で、ＪＩＳ  Ｂ８０３１に規定される耐衝撃性試験に準じて、衝程２２ｍｍの衝撃を毎分４００回の割合で１０分間サンプルに加えた。その後、各サンプルの端子電極に緩みが生じているか否かを確認した。ここで、端子電極の緩みが確認されなかったサンプルは、耐振動性に優れるとして「○」の評価を下すこととし、一方で、端子電極に緩みが発生したサンプルは、耐振動性にやや劣るとして「△」の評価を下すこととした。表３に、当該試験の試験結果を示す。尚、断面積Ｓ２は、接続部の外径を調節することで変更した（表３には、接続部の外径を併せて示す）。また、軸孔のうち、端子電極の先端部やガラスシールが配設される部位の内径を３．９ｍｍとした。
【００８１】
【表３】
2012070288.tif 000005
【００８２】
表３に示すように、Ｓ３−Ｓ２を１．２ｍｍ2以上としたサンプルＩ，Ｊ，Ｋは、端子電極に緩みが生じることなく、耐振動性に優れることが明らかとなった。これは、端子電極のうち軸線方向に沿ってガラスシールに圧接される部位の面積が十分に大きく確保され、ガラスシールひいては絶縁碍子に対する端子電極の接合強度が向上したことによると考えられる。
【００８３】
上記試験の結果より、耐振動性や気密性を効果的に向上させるという観点から、Ｓ３−Ｓ２≧１．２ｍｍ2を満たすように構成することが好ましいといえる。
【００８４】
尚、上記実施形態の記載内容に限定されず、例えば次のように実施してもよい。勿論、以下において例示しない他の応用例、変更例も当然可能である。
【００８５】
（ａ）ガラスシール７を構成する金属粉末は特に限定されるものではないが、ガラスシール７を構成する金属粉末にＣｕやＡｇなどの導電性に優れる金属を含有させてもよい。この場合には、電力の損失を一層抑制することができ、着火性の更なる向上を図ることができる。
【００８６】
（ｂ）上記実施形態では特に記載していないが、端子電極６，５６の先端側外周面（ガラスシール７に接触する面）に雄ねじやローレットを設けることとしてもよい。この場合には、端子電極６，５７をガラスシール７，５７（ひいては絶縁碍子２）に対してより強固に固定することができ、耐振動性ひいては気密性の更なる向上を図ることができる。
【００８７】
（ｃ）上記実施形態において、中心電極５はＮｉを主成分とする合金により形成されているが、中心電極５の内部に、熱伝導性に優れる銅や銅合金からなる内層を設けることとしてもよい。この場合には、中心電極５の熱引きが向上し、耐消耗性の向上を図ることができる。また、耐消耗性の向上を図るべく、中心電極５や接地電極２７のうち間隙２８を形成する部位に、白金やイリジウム等の貴金属、又は、貴金属を主成分とする合金からなる貴金属チップを設けることとしてもよい。
【００８８】
（ｄ）上記実施形態では、主体金具３の先端部２６に、接地電極２７が接合される場合について具体化しているが、主体金具の一部（又は、主体金具に予め溶接してある先端金具の一部）を削り出すようにして接地電極を形成する場合についても適用可能である（例えば、特開２００６−２３６９０６号公報等）。
【００８９】
（ｅ）上記実施形態では、工具係合部１９は断面六角形状とされているが、工具係合部１９の形状に関しては、このような形状に限定されるものではない。例えば、Ｂｉ−ＨＥＸ（変形１２角）形状〔ＩＳＯ２２９７７：２００５（Ｅ）〕等とされていてもよい。
【符号の説明】
【００９０】
１…高周波プラズマ点火プラグ（点火プラグ）
２…絶縁碍子（絶縁体）
４…軸孔
５，５５…中心電極
５Ａ…中心電極本体部
５Ｂ…接続部
６，５６…端子電極
６Ａ…穴部
７…ガラスシール
８…電極
５５Ａ…凹部
５６Ａ…端子電極本体部
５６Ｂ…延出部
ＣＬ１…軸線
【図１】
2012070288.tif 000006
【図２】
2012070288.tif 000007
【図３】
2012070288.tif 000008
【図４】
2012070288.tif 000009
【図５】
2012070288.tif 000010
【図６】
2012070288.tif 000011
【図７】
2012070288.tif 000012
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
軸線方向に延びる軸孔を有する絶縁体と、
前記軸孔内に挿設された電極とを備え、
所定の高周波電源により発生された高周波電力が前記電極に供給されることでプラズマ放電を発生させる高周波プラズマ点火プラグであって、
前記電極は、
前記軸孔の先端側に挿設された中心電極と、
前記軸孔の後端側に挿設された端子電極とを備え、
前記軸孔内において、前記端子電極及び前記中心電極は、ガラス成分を含んでなるガラスシールによって前記絶縁体に固定されており、
前記中心電極及び前記端子電極が直接接触しており、
前記中心電極は、
先端側に位置する中心電極本体部と、
前記中心電極本体部から前記軸線に沿って後端側に延び、前記中心電極本体部よりも小径の接続部とを備え、
前記端子電極は、先端側に開口する穴部を備え、
前記穴部に対して前記接続部が挿入されているとともに、
前記ガラスシールが、少なくとも前記接続部の外周面、前記軸孔の内周面、前記端子電極の先端面、及び、前記中心電極本体部の後端面の間に設けられることを特徴とする高周波プラズマ点火プラグ。
【請求項２】
前記穴部の開口における、前記軸線と直交する方向に沿った前記接続部の断面積をＳ２（ｍｍ2）とし、
前記端子電極のうち表面が前記ガラスシールに接触している部位のうち、外径が最大の部位を通り、かつ、前記軸線と直交する方向に沿った断面において、前記端子電極の外周面の外形線で囲まれた領域の断面積をＳ３（ｍｍ2）としたとき、
Ｓ３−Ｓ２≧１．２
を満たすことを特徴とする請求項１に記載の高周波プラズマ点火プラグ。
【請求項３】
前記接続部のうち外周面が前記ガラスシールに接触している部位は、銅、銀、金、亜鉛、或いは、アルミニウム、又は、これらの金属を主成分とする合金により形成されることを特徴とする請求項１又は２に記載の高周波プラズマ点火プラグ。
【請求項４】
前記接続部のうち外周面が前記ガラスシールに接触している部位は、銅、銀、金、亜鉛、或いは、アルミニウム、又は、これらの金属を主成分とする合金で覆われることを特徴とする請求項１乃至３のいずれか１項に記載の高周波プラズマ点火プラグ。
【請求項５】
前記穴部に対して前記接続部が圧入されていることを特徴とする請求項１乃至４のいずれか１項に記載の高周波プラズマ点火プラグ。
【請求項６】
前記穴部に対して前記接続部が螺合されていることを特徴とする請求項１乃至４のいずれか１項に記載の高周波プラズマ点火プラグ。
【請求項７】
軸線方向に延びる軸孔を有する絶縁体と、
前記軸孔内に挿設された電極とを備え、
所定の高周波電源により発生された高周波電力が前記電極に供給されることでプラズマ放電を発生させる高周波プラズマ点火プラグであって、
前記電極は、
前記軸孔の先端側に挿設された中心電極と、
前記軸孔の後端側に挿設された端子電極とを備え、
前記軸孔内において、前記端子電極及び前記中心電極は、ガラス成分を含んでなるガラスシールによって前記絶縁体に固定されており、
前記中心電極及び前記端子電極が直接接触しており、
前記端子電極は、
後端側に位置する端子電極本体部と、
前記端子電極本体部から前記軸線に沿って先端側に延び、前記端子電極本体部よりも小径の延出部とを備え、
前記中心電極は、後端側に開口する凹部を備え、
前記凹部に対して前記延出部が挿入されているとともに、
前記ガラスシールが、少なくとも前記延出部の外周面、前記軸孔の内周面、前記端子電極本体部の先端面、及び、前記中心電極の後端面の間に設けられることを特徴とする高周波プラズマ点火プラグ。
【請求項８】
前記延出部のうち外周面が前記ガラスシールに接触している部位は、銅、銀、金、亜鉛、或いは、アルミニウム、又は、これらの金属を主成分とする合金により形成されることを特徴とする請求項７に記載の高周波プラズマ点火プラグ。
【請求項９】
前記延出部のうち外周面が前記ガラスシールに接触している部位は、銅、銀、金、亜鉛、或いは、アルミニウム、又は、これらの金属を主成分とする合金で覆われることを特徴とする請求項７又は８に記載の高周波プラズマ点火プラグ。
【請求項１０】
前記凹部に対して前記延出部が圧入されていることを特徴とする請求項７乃至９のいずれか１項に記載の高周波プラズマ点火プラグ。
【請求項１１】
前記凹部に対して前記延出部が螺合されていることを特徴とする請求項７乃至９のいずれか１項に記載の高周波プラズマ点火プラグ。
【請求項１２】
前記軸孔内に位置する前記電極の部位のうち、前記軸線と直交する方向に沿った断面積が最小となる部位の最小断面積Ｓ１を０．２０ｍｍ2以上としたことを特徴とする請求項１乃至１１のいずれか１項に記載の高周波プラズマ点火プラグ。
【請求項１３】
前記ガラスシールに金属成分が含まれることを特徴とする請求項１乃至１２のいずれか１項に記載の高周波プラズマ点火プラグ。
【手続補正２】
【補正対象書類名】明細書
【補正対象項目名】全文
【補正方法】変更
【補正の内容】
【発明の詳細な説明】
【技術分野】
【０００１】
本発明は、高周波電力が供給されることにより、プラズマ放電を発生させる高周波プラズマ点火プラグに関する。
【背景技術】
【０００２】
内燃機関等の燃焼装置に使用される点火プラグは、例えば、軸線方向に延びる軸孔を有する絶縁体と、軸孔の先端側に設けられる中心電極と、軸孔の後端側に設けられ、導電性のガラスシールを介して中心電極と電気的に接続される端子電極と、絶縁体の外側に組付けられる筒状の主体金具と、主体金具の先端部に接合された接地電極とを備えている。そして、中心電極に高電圧を印加することにより、中心電極と接地電極との間に形成された間隙において火花放電を生じさせ、その結果、燃料ガスに対する着火がなされるようになっている。
【０００３】
また、着火性の更なる向上を図るべく、高電圧に代えて、高周波電力を前記間隙に投入することで、プラズマ放電を生じさせる点火プラグ（高周波プラズマ点火プラグ）が提案されている（例えば、特許文献１等参照）。
【先行技術文献】
【特許文献】
【０００４】
【特許文献１】特開昭５１−７７７１９号公報
【発明の概要】
【発明が解決しようとする課題】
【０００５】
ところで近年では、排ガス規制への対応や燃費向上の観点から、リーンバーンエンジンや直噴エンジン等の開発が積極的に行われている。このような燃焼装置においては、従来よりも優れた着火性が要求されており、上述した着火性に優れる高周波プラズマ点火プラグにおいても、着火性の更なる向上が求められている。
【０００６】
本発明は、上記事情を鑑みてなされたものであり、その目的は、着火性の一層の向上を図ることができる高周波プラズマ点火プラグを提供することにある。
【課題を解決するための手段】
【０００７】
以下、上記目的を解決するのに適した各構成につき、項分けして説明する。なお、必要に応じて対応する構成に特有の作用効果を付記する。
【０００８】
構成１．本構成の高周波プラズマ点火プラグは、軸線方向に延びる軸孔を有する絶縁体と、
前記軸孔内に挿設された電極とを備え、
所定の高周波電源により発生された高周波電力が前記電極に供給されることでプラズマ放電を発生させる高周波プラズマ点火プラグであって、
前記電極は、
前記軸孔の先端側に挿設された中心電極と、
前記軸孔の後端側に挿設された端子電極とを備え、
前記軸孔内において、前記端子電極及び前記中心電極は、ガラス成分を含んでなるガラスシールによって前記絶縁体に固定されており、
前記中心電極及び前記端子電極が直接接触しており、
前記中心電極は、
先端側に位置する中心電極本体部と、
前記中心電極本体部から前記軸線に沿って後端側に延び、前記中心電極本体部よりも小径の接続部とを備え、
前記端子電極は、先端側に開口する穴部を備え、
前記穴部に対して前記接続部が挿入されているとともに、
前記ガラスシールが、少なくとも前記接続部の外周面、前記軸孔の内周面、前記端子電極の先端面、及び、前記中心電極本体部の後端面の間に設けられることを特徴とする。
【０００９】
上記構成１によれば、ガラスシール等を介することなく、中心電極と端子電極とが直接接触されているため、供給された高周波電力を伝達する際における電力の損失を効果的に抑制することができる。その結果、一層大きな電力をもってプラズマ放電を発生させることができ、着火性の更なる向上を図ることができる。
【００１０】
また、上記構成１によれば、中心電極と端子電極とが、ガラスシールにより絶縁体に固定されているため、両電極を絶縁体に対して強固に固定することができる。そのため、振動等に伴う絶縁体からの端子電極の緩み等をより確実に抑制することができる。その結果、中心電極と端子電極とを長期間に亘ってより確実に接触させることができ、上述の着火性の向上効果を長期間に亘って維持することができる。また、耐振動性の向上が図られることで、端子電極と絶縁体との間において優れた気密性を実現することができる。
【００１１】
また、上記構成１によれば、中心電極と端子電極とを直接接触させつつ、ガラスシールにより両電極を絶縁体に固定する構成をより容易に実現することができる。また、中心電極の接続部が端子電極の穴部に挿入されているため、両電極を一層確実に接触させることができ、電力の損失抑制を一層図ることができる。
【００１２】
構成２．本構成の高周波プラズマ点火プラグは、上記構成１において、前記穴部の開口における、前記軸線と直交する方向に沿った前記接続部の断面積をＳ２（ｍｍ2）とし、
前記端子電極のうち表面が前記ガラスシールに接触している部位のうち、外径が最大の部位を通り、かつ、前記軸線と直交する方向に沿った断面において、前記端子電極の外周面の外形線で囲まれた領域の断面積をＳ３（ｍｍ2）としたとき、
Ｓ３−Ｓ２≧１．２
を満たすことを特徴とする。
【００１３】
上記構成２によれば、端子電極のうち軸線方向に沿ってガラスシールに接触（圧接）している部位（端子電極をガラスシールひいては絶縁体に固定するにあたって、特に重要となる部位）を、軸線と直交する面に投影した際の投影面積（Ｓ３−Ｓ２）が十分に大きなものとなるように構成されている。従って、ガラスシールひいては絶縁体に対して端子電極をより確実に固定することができ、耐振動性の更なる向上を図ることができる。その結果、中心電極と端子電極とを長期間に亘って安定的に接触させることができ、着火性の向上効果をさらに長期間に亘って維持することができる。また、端子電極と絶縁体との間の気密性をより一層向上させることができる。
【００１４】
構成３．本構成の高周波プラズマ点火プラグは、上記構成１又は２において、前記接続部のうち外周面が前記ガラスシールに接触している部位は、銅（Ｃｕ）、銀（Ａｇ）、金（Ａｕ）、亜鉛（Ｚｎ）、或いは、アルミニウム（Ａｌ）、又は、これらの金属を主成分とする合金により形成されることを特徴とする。
【００１５】
上記構成３によれば、接続部のうち外周面がガラスシールに接触している部位（つまり、高周波電力を伝達するにあたって、電力損失の発生が特に懸念される部位）は、ＣｕやＡｇ等の導電性に優れる金属により形成されている。従って、高周波電力を伝達する際における電力損失をより一層抑制することができ、着火性をより一層向上させることができる。
【００１６】
構成４．本構成の高周波プラズマ点火プラグは、上記構成１乃至３のいずれかにおいて、前記接続部のうち外周面が前記ガラスシールに接触している部位は、Ｃｕ、Ａｇ、Ａｕ、Ｚｎ、或いは、Ａｌ、又は、これらの金属を主成分とする合金で覆われることを特徴とする。
【００１７】
高周波は、主として導電性物質の表面を伝わって流れる性質（表皮効果）を有するところ、上記構成４によれば、接続部のうち外周面がガラスシールに接触している部位は、ＣｕやＡｇ等の導電性に優れる金属で覆われている。従って、接続部の表面を伝わった高周波電力の導電経路において、当該経路の抵抗値をより低減させることができ、電力の損失を一層抑制することができる。その結果、着火性の更なる向上を図ることができる。
【００１８】
構成５．本構成の高周波プラズマ点火プラグは、上記構成１乃至４のいずれかにおいて、前記穴部に対して前記接続部が圧入されていることを特徴とする。
【００１９】
上記構成５によれば、端子電極に対する中心電極（接続部）の接触面積をより確実に増大させることができ、両電極間における接触抵抗を低減させることができる。その結果、電力の損失を一層抑制することができ、より優れた着火性を実現することができる。
【００２０】
構成６．本構成の高周波プラズマ点火プラグは、上記構成１乃至４のいずれかにおいて、前記穴部に対して前記接続部が螺合されていることを特徴とする。
【００２１】
上記構成６によれば、上記構成５と同様に、端子電極に対する中心電極（接続部）の接触面積をより確実に増大させることができ、両電極間における接触抵抗を低減させることができる。その結果、着火性をより一層向上させることができる。
【００２２】
構成７．本構成の高周波プラズマ点火プラグは、軸線方向に延びる軸孔を有する絶縁体と、
前記軸孔内に挿設された電極とを備え、
所定の高周波電源により発生された高周波電力が前記電極に供給されることでプラズマ放電を発生させる高周波プラズマ点火プラグであって、
前記電極は、
前記軸孔の先端側に挿設された中心電極と、
前記軸孔の後端側に挿設された端子電極とを備え、
前記軸孔内において、前記端子電極及び前記中心電極は、ガラス成分を含んでなるガラスシールによって前記絶縁体に固定されており、
前記中心電極及び前記端子電極が直接接触しており、
前記端子電極は、
後端側に位置する端子電極本体部と、
前記端子電極本体部から前記軸線に沿って先端側に延び、前記端子電極本体部よりも小径の延出部とを備え、
前記中心電極は、後端側に開口する凹部を備え、
前記凹部に対して前記延出部が挿入されているとともに、
前記ガラスシールが、少なくとも前記延出部の外周面、前記軸孔の内周面、前記端子電極本体部の先端面、及び、前記中心電極の後端面の間に設けられることを特徴とする。
【００２３】
上記構成７によれば、基本的には上記構成１と同様の作用効果が奏されることとなる。
【００２４】
加えて、上記構成７によれば、端子電極の延出部の外周にガラスシールが配設されているため、絶縁体に対して端子電極を一層強固に固定することができる。その結果、耐振動性ひいては気密性の更なる向上を図ることができる。
【００２５】
構成８．本構成の高周波プラズマ点火プラグは、上記構成７において、前記延出部のうち外周面が前記ガラスシールに接触している部位は、Ｃｕ、Ａｇ、Ａｕ、Ｚｎ、或いは、Ａｌ、又は、これらの金属を主成分とする合金により形成されることを特徴とする。
【００２６】
上記構成８によれば、基本的には上記構成３と同様の作用効果が奏される。
【００２７】
構成９．本構成の高周波プラズマ点火プラグは、上記構成７又は８において、前記延出部のうち外周面が前記ガラスシールに接触している部位は、Ｃｕ、Ａｇ、Ａｕ、Ｚｎ、或いは、Ａｌ、又は、これらの金属を主成分とする合金で覆われることを特徴とする。
【００２８】
上記構成９によれば、基本的には上記構成４と同様の作用効果が奏される。
【００２９】
構成１０．本構成の高周波プラズマ点火プラグは、上記構成７乃至９のいずれかにおいて、前記凹部に対して前記延出部が圧入されていることを特徴とする。
【００３０】
上記構成１０によれば、基本的には上記構成５と同様の作用効果が奏される。
【００３１】
構成１１．本構成の高周波プラズマ点火プラグは、上記構成７乃至９のいずれかにおいて、前記凹部に対して前記延出部が螺合されていることを特徴とする。
【００３２】
上記構成１１によれば、基本的には上記構成６と同様の作用効果が奏される。
【００３３】
構成１２．本構成の高周波プラズマ点火プラグは、上記構成１乃至１１のいずれかにおいて、前記軸孔内に位置する前記電極の部位のうち、前記軸線と直交する方向に沿った断面積が最小となる部位の最小断面積Ｓ１を０．２０ｍｍ2以上としたことを特徴とする。
【００３４】
上記構成１２によれば、電極の最小断面積Ｓ１が０．２０ｍｍ2以上と十分に大きくされているため、電力の伝達経路の抵抗値を十分に小さなものとすることができる。その結果、電力の損失を一層抑制することができ、着火性を一層向上させることができる。
【００３５】
構成１３．本構成の高周波プラズマ点火プラグは、上記構成１乃至１２のいずれかにおいて、前記ガラスシールに金属成分が含まれることを特徴とする。
【００３６】
上記構成１３によれば、ガラスシールに金属成分が含まれているため、ガラスシールの抵抗値を効果的に低減させることができる。従って、高周波電力を伝達する際における電力損失をさらに抑制することができ、着火性の更なる向上を図ることができる。
【図面の簡単な説明】
【００３７】
【図１】点火プラグの構成を示す一部破断正面図である。
【図２】中心電極や端子電極の構成を示す部分拡大断面図である。
【図３】（ａ），（ｂ）は、穴部に対する接続部の挿入状態の別例を示す部分拡大断面図である。
【図４】（ａ），（ｂ）は、中心電極本体部と接続部とを別体で設けた場合における中心電極の構成を示す部分拡大断面図である。
【図５】第２実施形態における、中心電極や端子電極の構成を示す部分拡大断面図である。
【図６】（ａ），（ｂ）は、凹部に対する延出部の挿入状態の別例を示す部分拡大断面図である。
【図７】比較例に相当するサンプルの概略構成を示す部分拡大断面図である。
【発明を実施するための形態】
【００３８】
以下に、実施形態について図面を参照しつつ説明する。
〔第１実施形態〕
図１は、所定の高周波電源（図示せず）から高周波電力が供給されることで高周波プラズマを発生させる高周波プラズマス点火プラグ（以下、「点火プラグ」と称す）１を示す一部破断正面図である。尚、図１では、点火プラグ１の軸線ＣＬ１方向を図面における上下方向とし、下側を点火プラグ１の先端側、上側を後端側として説明する。
【００３９】
点火プラグ１は、絶縁体としての絶縁碍子２、これを保持する筒状の主体金具３などから構成されるものである。
【００４０】
絶縁碍子２は、周知のようにアルミナ等を焼成して形成されており、その外形部において、後端側に形成された後端側胴部１０と、当該後端側胴部１０よりも先端側において径方向外向きに突出形成された大径部１１と、当該大径部１１よりも先端側においてこれよりも細径に形成された中胴部１２と、当該中胴部１２よりも先端側においてこれよりも細径に形成された脚長部１３とを備えている。加えて、絶縁碍子２のうち、大径部１１、中胴部１２、及び、大部分の脚長部１３は、主体金具３の内部に収容されている。また、中胴部１２と脚長部１３との連接部にはテーパ状の段部１４が形成されており、当該段部１４にて絶縁碍子２が主体金具３に係止されている。
【００４１】
さらに、絶縁碍子２には、軸線ＣＬ１に沿って軸孔４が貫通形成されており、当該軸孔４には電極８が挿入、固定されている。電極８は、軸孔４の先端側に挿設された中心電極５と、軸孔４の後端側に挿設された端子電極６とを備えている。
【００４２】
中心電極５は、全体として棒状をなしており、ニッケル（Ｎｉ）を主成分とするＮｉ合金により構成されている。また、中心電極５は、その先端が絶縁碍子２の先端から軸線ＣＬ１方向先端側へと突出した状態で軸孔４に挿通されている。加えて、端子電極６は、低炭素鋼等の金属により形成されており、自身の後端部が絶縁碍子２の後端から突出した状態で、軸孔４に挿入されている（尚、電極８の構成については、後に詳述する）。
【００４３】
加えて、中心電極５及び端子電極６は、軸孔４内において、金属粉末（例えば、銅や真鍮、鉄等の粉末）やガラス粉末等の混合物が焼結されてなるガラスシール７によって絶縁碍子２に固定されている。尚、ガラスシール７は、端子電極６により後端側から押圧された状態で焼成される。そのため、端子電極６の先端部は、ガラスシール７に対して圧接された状態となっている。
【００４４】
前記主体金具３は、低炭素鋼等の金属により筒状に形成されており、その外周面には点火プラグ１を燃焼装置（例えば、内燃機関や燃料電池改質器等）の取付孔に取付けるためのねじ部（雄ねじ部）１５が形成されている。また、ねじ部１５の後端側の外周面には座部１６が形成され、ねじ部１５後端のねじ首１７にはリング状のガスケット１８が嵌め込まれている。さらに、主体金具３の後端側には、主体金具３を前記燃焼装置に取付ける際にレンチ等の工具を係合させるための断面六角形状の工具係合部１９が設けられるとともに、後端部において絶縁碍子２を保持するための加締め部２０が設けられている。
【００４５】
また、主体金具３の内周面には、絶縁碍子２を係止するためのテーパ状の段部２１が設けられている。そして、絶縁碍子２は、主体金具３の後端側から先端側に向かって挿入され、自身の段部１４が主体金具３の段部２１に係止された状態で、主体金具３の後端側の開口部を径方向内側に加締めること、つまり上記加締め部２０を形成することによって主体金具３に固定されている。尚、絶縁碍子２及び主体金具３双方の段部１４，２１間には、円環状の板パッキン２２が介在されている。これにより、燃焼室内の気密性を保持し、燃焼室内に晒される絶縁碍子２の脚長部１３と主体金具３の内周面との隙間に入り込む燃料ガスが外部に漏れないようになっている。
【００４６】
さらに、加締めによる密閉をより完全なものとするため、主体金具３の後端側においては、主体金具３と絶縁碍子２との間に環状のリング部材２３，２４が介在され、リング部材２３，２４間にはタルク（滑石）２５の粉末が充填されている。すなわち、主体金具３は、板パッキン２２、リング部材２３，２４及びタルク２５を介して絶縁碍子２を保持している。
【００４７】
また、主体金具３の先端部２６には、Ｎｉを主成分とする合金により形成され、略中間部分にて曲げ返された接地電極２７が接合されている。接地電極２７は、その先端側側面が電極８（中心電極５）の先端部と対向しており、電極８の先端部と接地電極２７との間には、間隙２８が形成されている。当該間隙２８に対して高周波電力を供給することで、プラズマ放電を発生させることができるようになっている。
【００４８】
次いで、電極８（中心電極５及び端子電極６）等の構成について詳述する。
【００４９】
図２に示すように、中心電極５は、軸線ＣＬ１方向先端側に位置する中心電極本体部５Ａと、軸線ＣＬ１方向後端側に位置し、中心電極本体部５Ａと一体に形成された接続部５Ｂとを備えている。
【００５０】
中心電極本体部５Ａは、自身の先端部が接地電極２７との間で前記間隙２８を形成するようにして絶縁碍子２の先端から突出しており、また、自身の後端側に設けられた径方向外側に膨出する鍔状部分により軸孔４の内周面に係止されている。
【００５１】
接続部５Ｂは、棒状をなし、中心電極本体部５Ａの後端部の中央位置から軸線ＣＬ１に沿って後端側に延びている。また、接続部５Ｂは、中心電極本体部５Ａ（特に、中心電極本体部５Ａのうち最も大径となる部分）よりも小径とされており、その周囲に前記ガラスシール７が配設されている。
【００５２】
端子電極６は、自身の先端部に軸線ＣＬ１方向先端側に向けて開口する穴部６Ａを備えている。そして、当該穴部６Ａに対して、径方向に若干の隙間を設けた状態で前記接続部５Ｂが挿入されており、中心電極５（接続部５Ｂ）の少なくとも後端部と端子電極６とが直接接触するように構成されている。また、前記ガラスシール７は、接続部７Ｂの外周面、軸孔４の内周面、端子電極６の先端面、及び、中心電極本体部５Ａの後端面の間に設けられている。
【００５３】
尚、図３（ａ）に示すように、前記穴部６Ａに対して接続部５Ｂを圧入することで、接続部５Ｂのうち穴部６Ａ内に配置された部位の外周面全域を端子電極６に接触させるように構成してもよい。また、図３（ｂ）に示すように、穴部６Ａに雌ねじを形成するとともに、接続部５Ｂの後端側外周に雄ねじを形成し、穴部６Ａに対して接続部５Ｂを螺合することで、接続部５Ｂのうち穴部６Ａ内に配置された部位の外周面を端子電極６に対してより確実に接触させることとしてもよい。
【００５４】
また、軸孔４内に位置する電極８（中心電極５及び端子電極６）の部位のうち、軸線ＣＬ１と直交する方向に沿って断面積が最小となる部位（本実施形態では、接続部５Ｂ）の最小断面積Ｓ１が０．２０ｍｍ2以上とされている。
【００５５】
加えて、穴部６Ａの開口における、軸線ＣＬ１と直交する方向に沿った接続部５Ｂの断面積をＳ２（ｍｍ2）とし、端子電極６のうち表面がガラスシール７に接触している部位のうち、外径が最大の部位を通り、かつ、軸線ＣＬ１と直交する方向に沿った断面において、端子電極６の外周面の外形線で囲まれた領域の断面積（本実施形態では、「端子電極６のうち表面がガラスシール７に接触している部位の軸線ＣＬ１と直交する方向に沿った最大断面積」となる）をＳ３（ｍｍ2）としたとき、Ｓ３−Ｓ２≧１．２を満たすように構成されている。すなわち、端子電極６をガラスシール７ひいては絶縁碍子２に対して強固に固定するためには、端子電極６のうち軸線ＣＬ１方向に沿ってガラスシール７に圧接される部位を十分に大きく確保する必要があるが、本実施形態では、軸線ＣＬ１に沿って前記部位を軸線ＣＬ１と直交する面に投影した際に、前記部位の投影面積（すなわち、Ｓ３−Ｓ２）が十分に大きなものとなるように構成されている。
【００５６】
さらに、本実施形態において、接続部５Ｂのうち外周面がガラスシール７に接触している部位は、銅（Ｃｕ）、銀（Ａｇ）、金（Ａｕ）、亜鉛（Ｚｎ）、或いは、アルミニウム（Ａｌ）、又は、これらの金属を主成分とする合金で覆われている。
【００５７】
尚、接続部５Ｂのうち外周面がガラスシール７に接触している部位を、Ｃｕ、Ａｇ、Ａｕ、Ｚｎ、或いは、Ａｌ、又は、これらの金属を主成分とする合金により形成することとしてもよい。この場合には、図４（ａ）に示すように、中心電極本体部３５ＡとＣｕ等の金属からなる接続部３５Ｂとを別体で設け、溶接により中心電極本体部３５Ａに接続部３５Ｂを接合することで中心電極３５を形成することとしてもよい。また、図４（ｂ）に示すように、中心電極本体部４５Ａの後端部に設けられた挿入穴４５Ｃに接続部４５Ｂを圧入することにより、接続部４５Ｂが中心電極本体部４５Ａに接合されてなる中心電極４５を形成することとしてもよい。尚、挿入穴４５Ｃに雌ねじを形成するとともに、接続部４５Ｂの先端側に雄ねじを形成し、挿入穴４５Ｃに接続部４５Ｂの雄ねじを螺合することで、接続部４５Ｂを中心電極本体部４５Ａに接合することとしてもよい。
【００５８】
以上詳述したように、本実施形態によれば、ガラスシール７を介することなく、中心電極５と端子電極６とが直接接触されているため、供給された高周波電力を伝達する際における電力の損失を効果的に抑制することができる。その結果、一層大きな電力をもってプラズマ放電を発生させることができ、着火性の更なる向上を図ることができる。
【００５９】
また、中心電極５と端子電極６とが、ガラスシール７により絶縁碍子２に固定されているため、両電極５，６を絶縁碍子２に対して強固に固定することができる。そのため、燃焼装置の動作等に伴う振動が加わった場合であっても、端子電極６の緩み等をより確実に抑制することができる。その結果、中心電極５と端子電極６とを長期間に亘ってより確実に接触させることができ、着火性の向上効果を長期間に亘って維持することができる。また、耐振動性の向上が図られることで、端子電極６と絶縁碍子２との間において優れた気密性を実現することができる。
【００６０】
さらに、電極８（中心電極５及び端子電極６）の最小断面積Ｓ１が０．２０ｍｍ2以上と十分に大きくされているため、高周波電力を伝達する際における電力の損失を一層抑制することができる。その結果、着火性を一層向上させることができる。
【００６１】
加えて、中心電極５の接続部５Ｂが端子電極６の穴部６Ａに挿入されているため、両電極５，６を一層確実に接触させることができ、電力の損失抑制を一層図ることができる。また、穴部６Ａに接続部５Ｂを圧入させたり、螺合したりすることで、端子電極６に対する中心電極５（接続部５Ｂ）の接触面積をより確実に増大させることができ、両電極５，６間における接触抵抗を低減させることができる。その結果、電力の損失を一層抑制することができ、より優れた着火性を実現することができる。
【００６２】
併せて、接続部５Ｂのうち外周面がガラスシール７に接触している部位は、ＣｕやＡｇ等の導電性に優れる金属で覆われている。従って、接続部５Ｂの表面を伝わった高周波電力の導電経路において、当該経路の抵抗値をより低減させることができ、電力の損失を一層抑制することができる。その結果、着火性の更なる向上を図ることができる。
【００６３】
また、端子電極６のうち軸線ＣＬ１方向に沿ってガラスシール７に接触（圧接）している部位を、軸線ＣＬ１と直交する面に投影した際の投影面積（Ｓ３−Ｓ２）が十分に大きなものとなるように構成されている。従って、ガラスシール７ひいては絶縁碍子２に対して端子電極６をより確実に固定することができ、耐振動性の更なる向上を図ることができる。その結果、中心電極５と端子電極６とを長期間に亘って安定的に接触させることができ、着火性の向上効果をさらに長期間に亘って維持することができる。また、端子電極６と絶縁碍子２との間の気密性をより一層向上させることができる。
【００６４】
さらに、ガラスシール７には、金属成分が含まれているため、ガラスシール７の抵抗値を低減させることができる。従って、高周波電力を伝達する際における電力損失をさらに抑制することができ、着火性の更なる向上を図ることができる。
〔第２実施形態〕
次に、第２実施形態について、上記第１実施形態との相違点を中心に説明する。本第２実施形態では、中心電極と端子電極との接続態様が特に相違する。すなわち、図５に示すように、端子電極５６は、軸線ＣＬ１方向後端側に位置する端子電極本体部５６Ａと、端子電極本体部５６Ａの先端部から軸線ＣＬ１に沿って先端側に延びる延出部５６Ｂとを備えている。また、中心電極５５の後端部には、軸線ＣＬ１方向後端側に向けて開口する凹部５５Ａが設けられており、当該凹部５５Ａに対して延出部５６Ｂが挿入されている。そして、延出部５６Ｂは、端子電極本体部５６Ａよりも小径に形成されており、ガラスシール５７は、延出部５６Ｂの外周面、軸孔４の内周面、端子電極本体部５６Ａの先端面、及び、中心電極５５の後端面の間に設けられている。
【００６５】
尚、図６（ａ）に示すように、前記凹部５５Ａに対して延出部５６Ｂを圧入することで、延出部５６Ｂのうち凹部５５Ａ内に配置された部位の外周面全域を中心電極５５に対して接触させることとしてもよい。また、図６（ｂ）に示すように、凹部５５Ａに雌ねじを形成するとともに、延出部５６Ｂの先端側外周に雄ねじを形成し、凹部５５Ａに対して延出部５６Ｂを螺合することで、延出部５６Ｂのうち凹部５５Ａ内に配置された部位の外周面を中心電極５５に対してより確実に接触させることとしてもよい。
【００６６】
また、延出部５６Ｂのうち外周面がガラスシール５７に接触する部位は、Ｃｕ、Ａｇ、Ａｕ、Ｚｎ、或いは、Ａｌ、又は、これらの金属を主成分とする合金で覆われている。尚、延出部５６Ｂのうち外周面がガラスシール５７に接触している部位を、Ｃｕ、Ａｇ、Ａｕ、Ｚｎ、或いは、Ａｌ、又は、これらの金属を主成分とする合金により形成することとしてもよい。
【００６７】
以上、本第２実施形態によれば、基本的には上記第１実施形態と同様の作用効果が奏されることとなる。
【００６８】
加えて、端子電極５６の延出部５６Ｂの外周にガラスシール５７が配設されるため、絶縁碍子２に対して端子電極５６をより強固に固定することができる。その結果、気密性や耐振動性を一層向上させることができる。
【００６９】
次に、上記実施形態によって奏される作用効果を確認すべく、図７に示すように、中心電極と端子電極との間にガラスシールを設け、ガラスシールを介して両者を電気的に接続したスパークプラグのサンプルＡ（比較例に相当する）と、中心電極と端子電極とを直接接触させるとともに、軸孔内に位置する中心電極及び端子電極のうち、軸線と直交する方向に沿って断面積が最小となる部位の最小断面積Ｓ１を種々変更したスパークプラグのサンプルＢ，Ｃ，Ｄ，Ｅ（それぞれ実施例に相当する）とを作製し、各サンプルについて着火性評価試験を行った。着火性評価試験の概要は次の通りである。すなわち、排気量２０００ｃｃの４気筒ＤＯＨＣエンジンにサンプルを組付けた上で、空燃比（Ａ／Ｆ）を２０として、サンプルに対して発振周波数１３ＭＨｚ、出力３００Ｗの高周波電力を１０００回供給し、１０００回中に発生した失火の回数（失火回数）を計測した。ここで、失火回数が０回となったサンプルは、着火性に極めて優れるとして「◎」の評価を下し、失火回数が１〜４回となったサンプルは、着火性に優れるとして「○」の評価を下すこととした。一方で、失火回数が５回以上となったサンプルは、着火性に劣るとして「×」の評価を下すこととした。表１に、当該試験の試験結果を示す。尚、実施例に相当するサンプルにおいて、断面積Ｓ１は、中心電極の接続部の外径を調節することで変更した（表１には、接続部の外径を併せて示す）。
【００７０】
【表１】
2012070288.tif 000013
【００７１】
表１に示すように、中心電極と端子電極とをガラスシールを介して電気的に接続したサンプルＡは、失火が発生しやすく、着火性に劣ることが明らかとなった。これは、ガラスシールに存在によって電力の損失が生じてしまい、ひいては中心電極と接地電極との間の間隙に投入される電力が不十分となってしまったことによると考えられる。
【００７２】
これに対して、中心電極と端子電極とを直接接触させたサンプルＢ〜Ｅは、優れた着火性を有することが分かった。これは、両電極を直接接触させたことで、電力の損失を極力抑制することができ、ひいては間隙に対して十分に大きな電力が投入されたためであると考えられる。
【００７３】
また特に、最小断面積Ｓ１を０．２０ｍｍ2以上としたサンプルＢ〜Ｄは、一層優れた着火性を実現できることが確認された。これは、断面積を十分に確保したことで、電力の導電経路（端子電極の後端から中心電極の先端まで）の抵抗値が十分に小さくなり、電力の損失がより少なくなったことに起因すると考えられる。
【００７４】
以上の試験結果より、高周波電力を投入することで、プラズマ放電を発生させる高周波プラズマ点火プラグにおいては、着火性の向上を図るべく、中心電極及び端子電極を直接接触させることが好ましいといえる。また、着火性を一層向上させるためには、軸孔内に位置する電極の最小断面積Ｓ１を０．２０ｍｍ2以上とすることがより好ましいといえる。
【００７５】
次いで、端子電極の穴部に対して径方向に若干の隙間をあけた状態で、中心電極の接続部を挿入することにより、中心電極と端子電極とを接触させたスパークプラグのサンプルＦと、穴部に対して接続部を圧入することにより、両電極を接触させたスパークプラグのサンプルＧと、穴部に対して接続部を螺合することにより、両電極を接触させたスパークプラグのサンプルＨとを作製し、各サンプルについて、空燃比（Ａ／Ｆ）を２１とした上で（つまり、より失火が生じやすい条件とした上で）、上述の着火性評価試験を行った。表２に、当該試験の試験結果を示す。尚、各サンプルともに、接続部の外径を１．０ｍｍ（最小断面積Ｓ１を約０．７９ｍｍ2）とした。
【００７６】
【表２】
2012070288.tif 000014
【００７７】
表２に示すように、穴部に対して接続部を圧入したサンプルＧや、穴部に対して接続部を螺合したサンプルＨは、燃料が薄く、失火がより発生しやすい条件においても、非常に優れた着火性を実現できることが分かった。これは、端子電極に対する接続部の接触面積が増大したことで、両電極間における接触抵抗が低減し、ひいては電力の損失がより一層抑制されたためであると考えられる。
【００７８】
上記試験の結果より、着火性の一層の向上を図るべく、中心電極と端子電極とを接合するにあたっては、圧入や螺合により両電極を接合することが好ましいといえる。
【００７９】
次に、前記断面積Ｓ３（ｍｍ2）を一定とした上で、穴部の開口における、軸線と直交する方向に沿った接続部の断面積Ｓ２（ｍｍ2）を変更することで、「Ｓ３−Ｓ２」を種々変更したスパークプラグのサンプルＩ，Ｊ，Ｋ，Ｌを作製し、各サンプルについて耐振動性評価試験を行った。耐振動性評価試験の概要は次の通りである。すなわち、各サンプルを所定の試験装置に取付けた上で、ＪＩＳ  Ｂ８０３１に規定される耐衝撃性試験に準じて、衝程２２ｍｍの衝撃を毎分４００回の割合で１０分間サンプルに加えた。その後、各サンプルの端子電極に緩みが生じているか否かを確認した。ここで、端子電極の緩みが確認されなかったサンプルは、耐振動性に優れるとして「○」の評価を下すこととし、一方で、端子電極に緩みが発生したサンプルは、耐振動性にやや劣るとして「△」の評価を下すこととした。表３に、当該試験の試験結果を示す。尚、断面積Ｓ２は、接続部の外径を調節することで変更した（表３には、接続部の外径を併せて示す）。また、軸孔のうち、端子電極の先端部やガラスシールが配設される部位の内径を３．９ｍｍとした。
【００８０】
【表３】
2012070288.tif 000015
【００８１】
表３に示すように、Ｓ３−Ｓ２を１．２ｍｍ2以上としたサンプルＩ，Ｊ，Ｋは、端子電極に緩みが生じることなく、耐振動性に優れることが明らかとなった。これは、端子電極のうち軸線方向に沿ってガラスシールに圧接される部位の面積が十分に大きく確保され、ガラスシールひいては絶縁碍子に対する端子電極の接合強度が向上したことによると考えられる。
【００８２】
上記試験の結果より、耐振動性や気密性を効果的に向上させるという観点から、Ｓ３−Ｓ２≧１．２ｍｍ2を満たすように構成することが好ましいといえる。
【００８３】
尚、上記実施形態の記載内容に限定されず、例えば次のように実施してもよい。勿論、以下において例示しない他の応用例、変更例も当然可能である。
【００８４】
（ａ）ガラスシール７を構成する金属粉末は特に限定されるものではないが、ガラスシール７を構成する金属粉末にＣｕやＡｇなどの導電性に優れる金属を含有させてもよい。この場合には、電力の損失を一層抑制することができ、着火性の更なる向上を図ることができる。
【００８５】
（ｂ）上記実施形態では特に記載していないが、端子電極６，５６の先端側外周面（ガラスシール７に接触する面）に雄ねじやローレットを設けることとしてもよい。この場合には、端子電極６，５７をガラスシール７，５７（ひいては絶縁碍子２）に対してより強固に固定することができ、耐振動性ひいては気密性の更なる向上を図ることができる。
【００８６】
（ｃ）上記実施形態において、中心電極５はＮｉを主成分とする合金により形成されているが、中心電極５の内部に、熱伝導性に優れる銅や銅合金からなる内層を設けることとしてもよい。この場合には、中心電極５の熱引きが向上し、耐消耗性の向上を図ることができる。また、耐消耗性の向上を図るべく、中心電極５や接地電極２７のうち間隙２８を形成する部位に、白金やイリジウム等の貴金属、又は、貴金属を主成分とする合金からなる貴金属チップを設けることとしてもよい。
【００８７】
（ｄ）上記実施形態では、主体金具３の先端部２６に、接地電極２７が接合される場合について具体化しているが、主体金具の一部（又は、主体金具に予め溶接してある先端金具の一部）を削り出すようにして接地電極を形成する場合についても適用可能である（例えば、特開２００６−２３６９０６号公報等）。
【００８８】
（ｅ）上記実施形態では、工具係合部１９は断面六角形状とされているが、工具係合部１９の形状に関しては、このような形状に限定されるものではない。例えば、Ｂｉ−ＨＥＸ（変形１２角）形状〔ＩＳＯ２２９７７：２００５（Ｅ）〕等とされていてもよい。
【符号の説明】
【００８９】
１…高周波プラズマ点火プラグ（点火プラグ）
２…絶縁碍子（絶縁体）
４…軸孔
５，５５…中心電極
５Ａ…中心電極本体部
５Ｂ…接続部
６，５６…端子電極
６Ａ…穴部
７…ガラスシール
８…電極
５５Ａ…凹部
５６Ａ…端子電極本体部
５６Ｂ…延出部
ＣＬ１…軸線
【国際調査報告】
2012070288.tif 000016
2012070288.tif 000017
2012070288.tif 000018
2012070288.tif 000019